(57)【要約】      （修正有）【課題】組立てハウスを構築する際に、現地での配線工事を簡略化し、解体後も電材の大半が再利用可能になり、安全で美観を損なわずに屋内配線ができる組立てハウス用配線収納装置を提供する。【解決手段】組立てハウス１の天井の一部に天井収納部と開閉式扉２を設け、天井収納部へのアクセスを可能とする。天井内の天井収納部に、組立てハウス１に合わせてモジュール化された、ケーブルアセンブリ品を収納する。各ケーブルの端部に専用コネクタ９ａ、１０ｃを設け、各組立てハウス１内の配線、及び隣接する組立てハウス１相互を電気接続する。これらの配線は全て、開閉式扉２の内部に隠ぺいされる。【選択図】図５
0003179132.tif 000002
【実用新案登録請求の範囲】
【請求項１】
ユニットハウス又はプレハブハウスからなる組立てハウスに電気的配線を行う組立てハウス用配線収納装置において、組立てハウスを構成する天井に、該天井の短辺長さに合わせるように下面が開口する天井収納部を形成し、該天井収納部に、組立てハウス配線用に使用する各種ケーブルをモジュール化したケーブルアセンブリ品を内蔵すると共に、該天井収納部の開口部に開閉自在な開閉式扉を設け、天井下面からケーブルアセンブリ品を介して組立てハウス用の電気配線を行うように構成したことを特徴とする組立てハウス用配線収納装置。
【請求項２】
前記ケーブルアセンブリ品は、予め組立てハウスの短辺長さに合わせるように構成されて電灯ケーブルを介して配電盤に接続するユニットケーブルと、隣接する組立てハウス相互のユニットケーブルに接続する組立てハウス接続ケーブルと、前記天井に埋め込まれたブレーカーに接続するブレーカー接続ケーブルとが固定基盤に一体に固定され、該固定基盤を前記天井収納部内の前記組立てハウス本体に着脱自在に装着するように構成された請求項１記載の組立てハウス用配線収納装置。
【請求項３】
前記開閉式扉は、片側が丁番を介して天井面と固定され、もう一方はつまみが装着されており、これをひねることで開閉自在になるように構成され、該開閉式扉を開いて前記天井収納部を開口し、前記天井収納部内の前記ブレーカー接続ケーブル及び前記ユニットケーブルと前記組立てハウス接続ケーブルとの接続作業を行うように構成された請求項１又は２記載の組立てハウス用配線収納装置。
【請求項４】
前記ブレーカー接続ケーブル及び、前記ユニットケーブルと前記組立てハウス接続ケーブルとの端部に専用コネクタを設けた請求項１乃至３いずれか記載の組立てハウス用配線収納装置。
【考案の詳細な説明】
【技術分野】
【０００１】
本考案は、ユニットハウスやプレハブハウス等の組立てハウスを構築する際に、配線工事を効率良く行うことができる組立てハウス用配線収納装置に関するものである。
【背景技術】
【０００２】
ユニットハウスやプレハブハウス等の組立てハウスは、図６に示すとおり、モジュール化された鉄骨ラーメン構造の躯体を組み合わせ、大小さまざまな規模の空間をつくり出す建築工法の一種である。一般建築工法に比べ、建設現場にて施工される工事の大半を予め工場にて生産するため建設現場での工期を大幅に短縮できる構造になっている。
【０００３】
組立てハウスは、その工法上、天井が仕上がった状態で建設現場に搬入される。したがって、ユニットハウス同士の電灯配線接続、及び空調機器等の動力配線接続は、天井内に配線することができず、建設現場での露出配線工事となる。そのため、ケーブルを室内に配線せざるを得ず、このケーブルが目立たないように、図７に示すような配線ダクトなどを室内に設ける必要があった。
【０００４】
一方、特許文献１において、プレハブ住宅を構成する各部屋ブロックの配線を、予め各部屋ブロックに接続したプレハブ住宅用ユニットケーブルの配線構造が記載されている。この配線構造によると、各部屋ブロックに、予めユニットケーブルとジョイントボックスを配線しておき、各部屋ブロックを接続する際に、各ジョイントボックスを連結することでユニットケーブル相互が連結され、各部屋ブロック間の配線接続が完了するというものである。
【先行技術文献】
【特許文献】
【０００５】
【特許文献１】特開２０００−３２６３５号公報
【考案の概要】
【考案が解決しようとする課題】
【０００６】
しかしながら、図７に示すように、天井の室内側で電気配線を行うと露出配線となり、電気知識に乏しい建物利用者が容易に触れる可能性があるため危険である。また、配線したケーブルを収納する配線ダクトを設置すると、天井を這うように設置されるため、室内の美観が損なわれる点も問題である。
【０００７】
一方、特許文献１に記載された配線構造によると、ユニットケーブルが予め設置された部屋ブロックと、他の部屋ブロックの配線とを、ジョイントボックスを介して電気的に接続する構造を採用している。そのため、この部屋ブロック相互の連結精度は、ジョイントボックス相互の連結精度に大きな影響を与えることになる。すなわち、このジョイントボックスは部屋ブロックに固定されているので、ジョイントボックスの連結精度を高めるには、部屋ブロックの連結精度を高める必要がある。
【０００８】
ところが、部屋ブロックの連結精度は、躯体状の部屋相互を連結する精度を有しているが、ジョイントボックスに集約されている電気配線を正確に接続する精度にまで高めることは極めて困難である。しかも、部屋ブロック相互を連結する際に、大きな力が加わるため、ジョイントボックス相互が接触して接触部分が破損する虞もある。
【０００９】
更に、特許文献１に記載されたユニットケーブルは特定の間取り用に構成されたものなので、他の間取りに再利用することはできない。
【００１０】
また、多連棟ユニットハウスのごとく、基本的な構造のユニットハウスを組合せて様々な目的のユニットハウスを構築する場合は、できるだけ配線工事の自由度が求められている。したがって、ユニットハウスに予めユニットケーブルやジョイントボックス等を装着しておくと、配線工事の自由がなくなり目的の構造物となる多連棟組立てハウスを構築する妨げになる不都合が生じる。
【００１１】
そこで本考案は、上述の課題を解消すべく案出されたもので、ユニットハウスやプレハブハウス等の組立てハウスを構築する際に、現地での配線工事を簡略化することができ、しかも、組立てハウスの解体後も電材の大半が再利用可能になり、更には、より安全で、美観を損なわない形で屋内配線ができる組立てハウス用配線収納装置の提供を目的とする。
【課題を解決するための手段】
【００１２】
上述の目的を達成すべく本考案における第１の手段は、ユニットハウス又はプレハブからなる組立てハウス１に電気的配線を行う組立てハウス用配線収納装置において、組立てハウス１を構成する天井に、該天井の短辺長さに合わせるように下面が開口する天井収納部５を形成し、該天井収納部５に、組立てハウス配線用に使用する各種ケーブルをモジュール化したケーブルアセンブリ品６を内蔵すると共に、該天井収納部５の開口部に開閉自在な開閉式扉２を設け、天井下面からケーブルアセンブリ品６を介して組立てハウス用の電気配線を行うように構成したことにある。
【００１３】
第２の手段において、前記ケーブルアセンブリ品６は、予め組立てハウス１の短辺長さに合わせるように構成されて電灯ケーブル１３を介して配電盤１２に接続するユニットケーブル１０ａと、隣接する組立てハウス１相互のユニットケーブル１０ａに接続する組立てハウス接続ケーブル１０ｂと、前記天井に埋め込まれたブレーカー７に接続するブレーカー接続ケーブル９とが固定基盤１１に一体に固定され、該固定基盤１１を前記天井収納部５内の前記組立てハウス１本体に着脱自在に装着するように構成されたものである。
【００１４】
第３の手段において、前記開閉式扉２は、片側が丁番３を介して天井面と固定され、もう一方はつまみ４が装着されており、このつまみ４をひねることで開閉自在になるように構成され、該開閉式扉２を開くと、前記天井収納部５内の前記ブレーカー接続ケーブル９及び前記ユニットケーブル１０ａと前記組立てハウス接続ケーブル１０ｂとの接続作業が行えるように構成したことにある。
【００１５】
第４の手段は、前記ブレーカー接続ケーブル９及び、前記ユニットケーブル１０ａと前記組立てハウス接続ケーブル１０ｂとの端部に専用コネクタ９ａ、１０ｃを設けたものである。
【考案の効果】
【００１６】
請求項１によると、天井収納部５に、組立てハウス配線用に使用する各種ケーブルをモジュール化したケーブルアセンブリ品６を内蔵すると共に、該天井収納部５の開口部に開閉自在な開閉式扉２を設けたことで、配線ダクトが見えなくなり、室内の美観を損なわずに済む。しかも、天井収納部５の開口部に開閉自在な開閉式扉２を設け、天井下面からケーブルアセンブリ品６を介して組立てハウス用の電気配線を行うように構成しているので、建物利用者にとって安全な室内環境が確保できる。
【００１７】
請求項２のごとく、ケーブルアセンブリ品６は、ユニットケーブル１０ａと、組立てハウス接続ケーブル１０ｂと、ブレーカー接続ケーブル９と、が固定基盤１１に一体に固定され、該固定基盤１１を前記天井収納部５内の前記組立てハウス１本体に着脱自在に装着するように構成したことにより、これまで使用されていなかった天井裏面のスペースを配線用のスペースとして利用できるようになった。この結果、プレハブハウス等の組立てハウスを構築する際に、現地での配線工事を簡略化することができ、しかも、美観を損なわない形で屋内配線ができるものである。
【００１８】
請求項３のように、開閉式扉２を開くと、天井収納部５内のブレーカー接続ケーブル９及びユニットケーブル１０ａと組立てハウス接続ケーブル１０ｂとの接続作業が行えるように構成したことにより、現地での配線工事を簡略化することができ、しかも、安全な使用が可能になった。
【００１９】
請求項４によると、ブレーカー接続ケーブル９及び、前記ユニットケーブル１０ａと前記組立てハウス接続ケーブル１０ｂとの端部に専用コネクタ９ａ、１０ｃを設けたものであるから、専門の電気技術者を必要とせず、簡便かつ確実に屋内電気配線ができる。さらに、組立てハウスに合わせてモジュール化されたケーブル一式が、コネクタ部で繰り返し着脱可能なことから、電材の再利用が可能である。この結果、組立てハウスの解体後も電材の大半が再利用可能になる。
【図面の簡単な説明】
【００２０】
【図１】本考案の一実施例を示す天井平面の概要図である。
【図２】本考案の一実施例を示す天井側面の要部断面図である。
【図３】図２に示す断面図の部分拡大図である。
【図４】本考案のケーブルアセンブリ品の一実施例を示す概要図である。
【図５】本考案の一実施例を示す電気配線図である。
【図６】組立てハウスの一実施例を示す外観斜視図である。
【図７】組立てハウスの一実施例を示す内観斜視図である。
【考案を実施するための形態】
【００２１】
このように本考案によると、組立てハウスの屋内電気配線において、天井収納部５に各種ケーブルを収納できるため、安全で、室内の美観を損なわず、また、全てのコネクタは容易に繰り返し着脱可能であるため、配線工事を簡便にすると共に、電材の再利用性を維持できるなどといった当初の目的を達成した。
【００２２】
本考案の一実施形態を示す天井概要図を図１に、断面図を図２に示す。図示のとおり、組立てハウス１の天井面の一部には、開閉式扉２が２箇所設けられている。
【００２３】
図２に示す断面図の部分拡大図を図３に示す。開閉式扉２は、片側が丁番３を介して天井面と固定され、もう一方はつまみ４が装着されており、これをひねることで簡便に開け閉めができる構造とする。組立てハウス１の天井収納部５には、あらかじめ組立てハウス１の短辺長さに合わせモジュール化されたケーブルアセンブリ品６が内蔵される。また、各組立てハウス１の天井に埋め込まれたブレーカー７には、電源供給用ケーブル８が接続され、これも天井収納部５に内蔵される。
【００２４】
ケーブルアセンブリ品６の概要図を図４に示す。ケーブルアセンブリ品６には、ブレーカー接続ケーブル９と、ユニットケーブル１０ａと、組立てハウス接続ケーブル１０ｂとが一体化され、固定基盤１１を介して組立てハウス１本体とボルト固定により、容易に着脱される。
【００２５】
本考案の一実施形態を示す電気配線図を図５に示す。電源供給用ケーブル８とブレーカー接続ケーブル９は、専用のコネクタ９ａを介して容易に接続される。隣り合う組立てハウス１同士の、ユニットケーブル１０ａと組立てハウス接続ケーブル１０ｂは、専用コネクタ１０ｃを介して容易に接続される。配電盤１２側の最端部のユニットケーブル１０ａは、電灯ケーブル１３を介して、配電盤１２と接続される。エアコン等の動力機器１４は、動力ケーブル１５を介して、配電盤１２と接続される。配電盤１２に、一次側電源１６が供給されることで、建築物全体への電気供給が可能となる。
【００２６】
本考案の一実施形態において、特に４棟連結のユニットハウスに基づいて説明しているが、図示例に限定されるものではなく、平面方向・階数方向への広がりを持つ多連棟ユニットハウスや、他の構成のプレハブハウスにも利用できる。また、本考案に使用される部品の、各構成や材質等は図示例に限られるものではなく、本考案の要旨を変更しない範囲での設計変更は任意である。
【符号の説明】
【００２７】
１  組立てハウス
２  開閉式扉
３  丁番
４  つまみ
５  天井収納部
６  ケーブルアセンブリ品
７  ブレーカー
８  電源供給用ケーブル
９  ブレーカー接続ケーブル
９ａ  専用コネクタ
１０ａ  ユニットケーブル
１０ｂ  組立てハウス接続ケーブル
１０ｃ  専用コネクタ
１１  固定基盤
１１ａ  取付穴
１２  配電盤
１３  電灯ケーブル
１４  エアコン等の動力機器
１５  動力ケーブル
１６  一次側電源
【図１】
0003179132.tif 000003
【図２】
0003179132.tif 000004
【図３】
0003179132.tif 000005
【図４】
0003179132.tif 000006
【図５】
0003179132.tif 000007
【図６】
0003179132.tif 000008
【図７】
0003179132.tif 000009